(57)【特許請求の範囲】
【請求項１】
少なくとも１つの支持構造および１つ以上のタービンブレードを備える風力タービンであって、支持構造は概念上、上部セクションおよび下部セクションに分割され、上部セクションはタービンブレードのスイープ領域との重複を有する支持構造のほぼその部分を備え、下部セクションは上部セクションの下の支持構造の残部であり、タービンブレードのスイープ領域との重複を有しておらず、上部セクションの実質的な部分は縮小されたレーダー断面積（ＲＣＳ）を有するように適合されており、下部セクションはそのように適合されてはいないことを特徴とする、風力タービン。
【請求項２】
縮小されたレーダー断面積を有するための支持構造の適応が、上部セクションの実質的な部分を放射線吸収材（ＲＡＭ）で被覆することを含む、請求項１に記載の風力タービン。
【請求項３】
ＲＡＭが、関連するレーダーシステムによって送信された波長で吸収するように適合されている、請求項２に記載の風力タービン。
【請求項４】
縮小されたＲＣＳを有するように適合されている部分が、重複を有するその部分の垂直軸の実質的に全体を被覆するが、必ずしも重複を有する前記部分の周りの全周でなくてもよく、支持構造の下部セクションは実質的に全くそのように適合されていない、請求項１から３のいずれか一項に記載の風力タービン。
【請求項５】
支持構造に関連するレーダーの所定位置を前提として、レーダーの方を向いている上部セクションの外周の一部のみがＲＡＭで被覆されている、請求項１から４のいずれか一項に記載の風力タービン。
【請求項６】
被覆された部分の角度範囲は、レーダーの方向に向いている外周上の点の両側のおよそ２０°から９０°の間まで延在する、請求項５に記載の風力タービン。
【請求項７】
角度範囲はレーダーに向いている点の両側のおよそ４５°である、請求項６に記載の風力タービン。
【請求項８】
レーダーに向いている側と反対側の支持構造の上部セクションにもまたＲＡＭ被膜が適用されている、請求項５から７のいずれか一項に記載の風力タービン。
【請求項９】
上部セクション自体が複数のサブセクションまたは小領域に分割され、任意のサブセクションまたは小領域は、別のものとは異なるＲＡＭの被覆を有する、請求項１から８のいずれか一項に記載の風力タービン。
【請求項１０】
上部セクションの実質的に全体がＲＡＭ被覆を有する、請求項１から４のいずれか一項に記載の風力タービン。
【請求項１１】
ＲＡＭは複数のタイルを備え、各々が多層回路アナログ構造を備える、請求項１から１０のいずれか一項に記載の風力タービン。
【請求項１２】
タイルはガラス繊維を備える基板層を有する、請求項１１に記載の風力タービン。
【請求項１３】
支持構造の上部セクションが、対象の方向への無線周波数電磁（ＥＭ）エネルギーの反射を回避するように形成されている、請求項１から１２のいずれか一項に記載の風力タービン。
【請求項１４】
風力タービン支持構造の表面を処理する方法であって、
ｉ）支持構造の上部セクションを特定するステップであって、上部セクションはタービンのブレードのスイープ領域との重複を有する部分であり、その下の支持構造の残部は下部セクションであるがタービンブレードのスイープ領域との重複を有しない、ステップと、
ｉｉ）対象レーダーに向いている支持構造の側の領域を特定するステップと、
ｉｉｉ）そのレーダー断面積（ＲＣＳ）を縮小するように支持構造の上部セクションの外周の少なくとも重要な部分を適合するステップであって、重要な部分は、（ｉｉ）で特定された領域の実質的な部分を含む、ステップと、
ｉｖ）そのＲＣＳを縮小するように適合されている実質的な領域を有することがないように、支持構造の下部セクションを配置するステップと、
を備える方法。
【発明の詳細な説明】
【技術分野】
【０００１】
本発明は、風力タービン、および風力タービンを保持するために使用されるタワーに関する。より具体的には、このようなタワーからのレーダーなどに使用される電磁（ＥＭ：Ｅｌｅｃｔｒｏｍａｇｎｅｔｉｃ）波の反射率に対して影響を及ぼすタイル、被膜、カバーなどの形態の、タワーおよびこのようなタワーへの処理に関する。
【背景技術】
【０００２】
風力タービンは、国内および国際炭素排出目標を達成する試みにおいて、伝統的な石炭およびガス発電の代替として、発電のためにますます使用されている。タービンは一般的に非常に大きく、ＡＴＣ（航空交通管制：Ａｉｒ  Ｔｒａｆｆｉｃ  Ｃｏｎｔｒｏｌ）レーダーおよびＡＤＲ（防空レーダー：Ａｉｒ  Ｄｅｆｅｎｃｅ  Ｒａｄａｒ）、および気象レーダーを含むレーダーシステムからのエネルギーの大きな反射器として、機能する。このため、新しい風力発電所の提案は、このようなレーダーシステムに対して起こり得る悪影響のため、反対に遭うことが多い。上記レーダーは一般的にその帰還信号のドップラー処理を採用し、つまりこれらは標的の動きによって生じる帰還における周波数変化を探す。可動要素であるタービンブレードは、このようなドップラーレーダーに対して特定の影響を及ぼす。これは、実際には存在しないのに関連する移動標的（たとえば、航空機）が存在すると思わせてドップラーレーダーを混乱させたり、実際の標的を検出から隠したりする可能性がある。風力タービンがレーダーシステムに対して及ぼす影響を緩和するための対策が取られている。たとえば、国際公開第２０１１／０５１６８７号パンフレットまたは国際公開第２０１０／１２２３５２号パンフレットは、ＥＭ吸収器、ＲＡＭ（放射線吸収材：Ｒａｄｉａｔｉｏｎ  Ａｂｓｏｒｂｅｎｔ  Ｍａｔｅｒｉａｌ）などを内蔵することによって、ブレードからのＥＭ反射を最小化する技術を開示している。このような対策は、使用されるＲＡＭの性能によっては非常に効果的である。
【０００３】
風力タービン向けの反射率仕様は、費用を妥当な範囲に収めながら一致させるのは困難である。
【先行技術文献】
【特許文献】
【０００４】
【特許文献１】国際公開第２０１１／０５１６８７号
【特許文献２】国際公開第２０１０／１２２３５２号
【発明の概要】
【課題を解決するための手段】
【０００５】
本発明の第一の態様によれば、少なくとも１つの支持構造および１つ以上のタービンブレードを備える風力タービンが提供され、支持構造は概念上、上部セクションおよび下部セクションに分割され、上部セクションはタービンブレードのスイープ領域との重複を有する支持構造のほぼその部分を備え、下部分はその下の支持構造の残部であり、上部セクションの実質的な部分は縮小されたレーダー断面積（ＲＣＳ：Ｒａｄａｒ  Ｃｒｏｓｓ  Ｓｅｃｔｉｏｎ）を有するように適合されており、下部セクションはそのように適合されている実質的な部分を有していないことを特徴とする。
【０００６】
なお、支持構造の重複領域は、遠隔配置レーダーから見た重複領域であってもよく、これは通常、水平面に対してゼロまたは非常に低い角度の仰角を有するようになることに、注意する。
【０００７】
タービンブレードは、先に述べられたように、ドップラーレーダーシステムに干渉することが知られている。この点に関して、大きなレーダー断面（ＲＣＳ）を有していても、支持構造はこれが動かない限りドップラーレーダーに対してはるかに小さな影響しか与えず、したがってドップラー偏移を生じないと考えられてきた。タワーをＲＡＭで被覆することも、非常に高額である。この理由から、ドップラーレーダーに対するタービン全体の影響を考えるとき、タワーは一般的に無視されてきた。しかしながら本発明者らは、タワーが固定されていたとしても、これはまだ動いているタービンブレードに合わせてまだ作用して、範囲内のレーダーシステムに対し動的な帰還を起こし得ることを、見出した。これは、たとえタービンのブレードが、たとえば上記で参照された特許文献において提案された技術を用いる縮小されたＲＣＳを有するように製造されていたとしても、その通りである。
【０００８】
ドップラーレーダーに対するタワーの影響は、主にタワーを超えてスイープする際のタービンブレードによるタワーの一部の周期的なマスキングによることがわかっており、反射の位相および／または振幅の不連続を招き、これは次にドップラースペクトルの拡散を招く。ＲＣＳピークはこの点で発生することがわかっており、これはタービンからの総時間平均ＲＣＳを支配する。これは、タワーの残部からの安定した（しかししばしばかなり大きい）反射よりもドップラーレーダーシステムにとってはるかに重要であり、はるかに有害である可能性がある。
【０００９】
影響は、水平回転軸を有するタービンにおいて、ブレードを保持するナセルのノーズが対象レーダーの方向を指しているとき、すなわちブレードの回転軸がレーダーに向かう方位を指しているとき（したがって方位角＝０であるとき）に、最も顕著であることがわかっている。これは、ブレードがタワーの上部セクションを超えて下方にスイープする際に、この位置がタワーからの反射の振幅のより急激な変化を招くからである。しかしながら、影響はまた、この両側の小さい（たとえばおよそ４５°未満の）方位角においても、度合いは小さいものの、大きいものである。回転軸がレーダーからおよそ１８０°を指しているとき、すなわちナセルのノーズがレーダーの方向から離れる方を実質的に指しているとき、およびこの両側の小さい方位角においても、やはり影響がある。
【００１０】
ＲＣＳを縮小させるための適合は、たとえば回路アナログＲＡＭなど、ＲＡＭなどの放射線を吸収する手段でタワーの関連部分を被覆するステップを備えてもよく、あるいはＥＭ放射線をこれが来た方向から、または任意の対象方向から離れるように配向するための物理的成形を備えてもよい。
【００１１】
ＲＣＳを縮小させるように適合されている上部セクションの部分は、いくつかの実施形態において、その外周の少なくとも一部について、上部セクションの全長であってもよいが、しかし上部セクションの長さの大部分がそのように適合されていれば、好影響が得られる。適合された部分は全外周を備えてもよく、あるいは外周の一部のみを備えてもよい。異なる部分長が異なる適合を有するように、たとえばＲＡＭ範囲の量を変化させるように、適合は上部セクションの長さに沿って異なってもよい。周知の対象レーダー（すなわち、タービンの影響を受ける可能性のあるレーダー）の位置を考えると、上部セクションの一部のみがＲＣＳを縮小させるように適合されていてもよく、この部分は、先に説明された理由により、レーダー位置に向いている部分である。ＲＡＭ被覆は、レーダーに向いている点の両側の２０°から９０°の間の周辺領域にわたって設けられてもよく、残りは被覆されないままである。したがってこれは、タワーの上部セクションのみを被覆する場合と比較して、著しい費用削減を可能にする。しかしながら、たとえばレーダーが移転される、またはいずれかの方位から来る航空機などの移動体上に位置するような状況においては、実質的にタワーの上部セクションの全周が、ＲＡＭで被覆されてもよい。このような上部セクションの完全な被覆は、費用および重量の予測が禁止されない場合、より一般的に採用されてもよい。あるいは、上部セクションはサブセクションに分割されてもよく、任意のサブセクションは別のサブセクションと比較して異なる範囲を有する。たとえば、異なるサブセクションは、異なる外周範囲を有してもよく、あるいは各々において異なる範囲を有してサブセクション内に複数のセクターを有してもよい。
【００１２】
本発明の実施形態は、その外周の少なくとも一部についてＲＣＳを縮小させるように適合されている、上部セクションの全長を実質的に有してもよく、そのように適合されている下部セクションの長さを実質的に有していなくてもよい。別の実施形態は、その外周の少なくとも一部の上にＲＡＭ被覆を有する上部セクションの全長を実質的に有してもよく下部分の長さのほとんどはこのようなＲＡＭ被覆を、実質的に有しておらず、しかしながら下部セクションの少なくとも一部は関連するレーダーに向かう反射を減少させる形状になっていてもよい。
【００１３】
ＲＡＭはＲＡＭタイルを備えてもよく、これらはタワーの適切な部分に接着される。ＲＡＭは回路アナログ（ＣＡ：Ｃｉｒｃｕｉｔ  Ａｎａｌｏｇｕｅ）ＲＡＭであってもよく、これは、対象の波長を吸収するように選択されたサイズ、抵抗率、および関連する接地面からの距離の、プリント抵抗トラックを有する。ほとんどのレーダーでは、この波長はおよそ１５ｃｍから１ｃｍとなり、ドップラー気象レーダーを用いて、たとえば一般的に１ＧＨｚから１０ＧＨｚ（３０ｃｍから３ｃｍ）の範囲で動作し、雨粒からのレイリー後方散乱を最大化する。ＲＡＭタイルは、これらの一般的な電気的性能に関して、上記で参照された特許明細書に開示されたものと類似していてもよく、当然ながら周知のやり方で特定の要求に適合されてもよい。タイルは好ましくは、支持構造の通常は湾曲した表面にこれらが取り付けられることを可能にするために、ある程度の可撓性を有する。しかしながら、この用途での使用にこれらを適応させるためのある程度の剛性を付与するため、これらはガラス繊維の基板層を有してもよい。これは、タイルの屈曲を受容可能なレベルまで減少させるのに役立ち、こうしてＣＡ部品を形成するいずれのプリント電気トラックの割れも減少させる。
【００１４】
なお、本明細書において、ＲＣＳ縮小処理の範囲に関して、タワーの重要な部分とは、明細書が、任意の風力タービンおよびレーダー配置のＲＣＳに対して大きい影響を及ぼすことを意味する点に、注意する。これは必ずしも範囲の面積に関してかなりのものである必要はないが（たとえば、これはいくつかの実施形態において、タワーの上部セクションの面積の大部分を被覆しなくてもよい）、しかしいくつかの実施形態ではそうなっていてもよい。
【００１５】
なお、支持構造の上部セクションは、タービンブレードがこれを超えてスイープする際に照射レーダーの影になるその部分として代わりに定義されてもよいことにも、注意する。照射レーダーが、支持構造が位置する丘の麓など（またはその逆）、支持構造に対して異なる高度にある場合、または高高度から支持構造を照射する航空機内に配置されている場合には、この代替定義は、上部セクション内の支持構造の高さの割合のわずかな変動をもたらすかも知れない。しかしながら実際には、違いは非常に小さくなる傾向があり、したがって本発明の実施に対してあまり重要ではない。
【００１６】
支持構造は、第一に支持タワーを備えるが、しかしまたタービン自体を収容するナセル、ならびにタービンブレード用の機械的取り付け具も含んでもよい。
【００１７】
本発明は水平回転軸を有する風力タービン（すなわち「ＨＡＷＴ」、つまり水平軸風力タービン）に関連して本明細書に記載されるが、本明細書は、タービンブレードのスイープ領域と支持構造との間にある程度の（しかし全体ではない）重複がある、垂直回転軸を有するもの（ＶＡＷＴ、つまり垂直軸風力タービン）にも適用可能であることも、理解されるだろう。
【００１８】
本発明の第二の態様によれば、風力タービン支持構造を処理する方法が提供され、その処理方法は、
ｉ）支持構造の上部セクションを特定するステップであって、上部セクションはタービンのブレードのスイープ領域との重複を有するその上部分であり、その下の支持構造の残部は下部セクションである、ステップと、
ｉｉ）対象レーダーに向いている支持構造の側の領域を特定するステップと、
ｉｉｉ）そのレーダー断面（ＲＣＳ）を縮小するように支持構造の上部セクションの外周の少なくとも重要な部分を適合させるステップであって、重要な部分は、（ｉｉ）で特定された領域の実質的な部分を含む、ステップと、
ｉｖ）そのＲＣＳを縮小するように適合されている実質的な領域を有することがないように、支持構造の下部分を配置するステップと、
を備える。
【００１９】
その処理方法は、既存の風力タービン支持構造に、または新規製作のものに、適用されてもよい。
【００２０】
本発明の一態様におけるいずれの特徴も、本発明の別の態様に、適切な組み合わせで、適用されてもよい。具体的には、方法態様が装置態様に適用されてもよく、その逆であってもよい。
【００２１】
以下、本発明の実施形態は、以下の図面を参照して、例示によって記載される。
【図面の簡単な説明】
【００２２】
【図１】本発明の実施形態が実現され得る風力タービンを図式的に示す図である。
【図２】本発明によって解決される問題を生じるタービンの様々なブレード位置を、模式的に示す図である。
【図３】ブレードの長さに沿って変化するそのブレードとタワーとの間の最短距離を有する風力タービンを図式的に示す図である。
【図４】本発明の実施形態を図式的に示す図である。
【図５】本発明の実施形態を図式的に示す図である。
【図６】本発明の実施形態を図式的に示す図である。
【図７】本発明の実施形態を図式的に示す図である。
【図８】本発明の実施形態を図式的に示す図である。
【図９】本発明の実施形態を図式的に示す図である。
【発明を実施するための形態】
【００２３】
図１は、支持タワー（２）、ナセル（３）、およびタービンブレード（４）を備える、風力タービン（１）の側面図を示す。この図は縮尺通りに示されるものではなく、実際にはタワーは全体的に、ブレードの長さと比較して、図示されるよりも長くなる。ブレード（４）はその回転軸の周りを回転し、したがって各ブレードは、その回転の底部において、タワー（２）と整列する。
【００２４】
レーダー（５）は、ＥＭ放射線でタービン（１）を照射するように示されており、本発明の全体的な対象のその照射部分は（６）で示されている。ＥＭ放射線（６）はタワー（２）およびブレード（４）に当たり、反射して、レーダー（５）によって受信され、続いて周知のやり方で処理される。タービンの回転周期のほとんどについて、ブレードは、タワーの重要な領域を遮蔽していない。しかしながら、ブレードがその最下点に到達すると、これはタワーと整列することになり、タワーの一部の最大オブスキュレーションを提供する。下ブレード（４）はこの位置で示されており、これはレーダー（５）から矢印（７）によって示されるタワーの上部を遮蔽するように見える。したがって矢印（７）によって示されるセクションはタワーの上部セクションであり、その一方でその下のタワーの部分は下部セクションである。上部セクションは、単一のブレード（４）の長さとほぼ等しいことがわかる。
【００２５】
図２は、ブレードが回転する際のオブスキュレーションプロセスを詳細に示す。図２ａは、支点（８）の周りを回転して、矢印によって示される方向に移動する、ブレード（４）を示す。これはその最低点に到達しつつある。タワー（２）はブレードの前縁によって、主に左上部分が、部分的に遮蔽されているが、しかしブレードがさらに廻ってスイープすると、オブスキュレーションの量は急速に増加する。
【００２６】
図２ｂは、ブレードの正確な形状、ならびにブレードおよびタワーが観察される角度に応じて、その最も低い部分で、タワーの最大オブスキュレーションの点、またはこれに非常に近い点の、ブレード（４）を示す。図２ａと図２ｂとの間のブレード移動量はわずかであるが、しかしタワーの追加のオブスキュレーションは大きい。このためオブスキュレーションは、レーダーにとって、不連続的な反射位相および／または振幅を伴う急激な遷移として現れる傾向がある。通常動作条件で、遷移は大きいドップラー速度変化を示すのに十分な速さで行われるが、これによりレーダーが誤った測定または検出を引き起こす可能性がある。
【００２７】
図２ｃは、ブレードの後縁が移動する際に、最低点から離れる方へ移動し、以前遮蔽されていたタワーを再び露出し始める、ブレードを示す。ブレードの後縁の形状は前縁とは異なってもよく、結果的にそのオブスキュレーションとは異なる見かけペースでタワーを露出することになる。これは、これがドップラーレーダー信号処理にもたらす問題と複合する可能性がある。
【００２８】
図３は、ブレードおよび支持タワーの相対的な成形による付加的なＲＣＳのピークを形成することが可能なタイプの風力タービンを示す。ここで、風力タービン（３０）は、その基部から頂部まで内向きに先細ったタワー（３１）を有する。ブレード（３２）は、その最低点を指すように示されている。ブレードとタワーとの間の水平距離は、ブレードの長さに沿って変化することがわかる。たとえば、ブレード先端における距離はＡで示され、ブレード中央における距離はＢで示されている。
【００２９】
このため、ブレード（３２）がその最下点を通過する際にタワーを超えてスイープし、また図２に関連して記載された急峻な遷移効果があるので、ドップラーレーダーで感知されるように、タワーの上部セクションの平均距離にはより段階的な（しかしまだ急な）見かけの変化もある。この効果は、このようなレーダーにおいて好ましくないＲＣＳピーク効果を生じる可能性がある。
【００３０】
本発明に先立って、先に記載された効果は当業者によって認識されていなかった。したがって、彼らの解決法は、反射された放射線がレーダーシステムの干渉を受けないように、何らかのまたはＲＡＭまたは同等物でタワー全体のすべてまたはかなりの部分を被覆することであった。原因の認識は、これが最も役に立つ非常に選択的なＲＡＭ配置のはるかに低価格な選択肢を可能にした。
【００３１】
図４から図８は、支持構造の上部セクションの選択された部分が、関連するレーダーシステムに戻る反射を減少させるために処理される、本発明の様々な実施形態を示す。すべての図において、上部セクションは、点線（４３）の上の部分である。
【００３２】
図４ａに関して、タワー（４１）の最上部およびナセルおよびブレード（４２）を含む、風力タービン（４０）の一部が示されている。タワー上には、上部セクションの底部からタワーのほぼ頂部まで伸長する、ＲＡＭ（４４）のパッチが配置されている。ＲＡＭ（４４）は、図４ｂの断面図において（４４）で示されるように、タワーの外周の９０°のセクターを被覆する。ＲＡＭ（４４）は、関連するレーダーシステムによって発射された放射線を吸収するように選択される。レーダーシステムの位置は、特に固定された地上レーダーである場合に、一般的に知られている。このような状況において、ＲＡＭは、ＲＡＭの水平中心がレーダーの位置に面するように、タワー上に位置決めされる。これにより、ナセルがレーダー位置をまっすぐ示さない事例を網羅するために、「照準」方向の両側に最大４５°までのＲＡＭ範囲を付与する。
【００３３】
図５は、上部セクションのＲＣＳを縮小するための異なる処理を有する、本発明の別の実施形態を示す。図５ａは、図４のような、「前部」（すなわち、周知のレーダー位置に向いている領域）上に部分的ＲＡＭ被膜（５２）を有する、類似の風力タービン（５０）およびその支持構造（５１）を示す。しかしながら、図５ｂの断面図より明らかなように、前部ＲＡＭ被膜（５２）に加えて、タワー（５１）の反対側に、類似のサイズの後部被膜（５３）もある。この後部被膜は、タービンナセル（４２）がレーダーから離れる方へ向いているとき、したがってブレード５４およびタワー（５１）の後部からの多重反射の大きな可能性があるときに、レーダー帰還を減衰するために、存在する。
【００３４】
図６ａは、風力タービン支持構造（６０）の上部領域内で、支持構造が２つの異なるＲＡＭ被覆状態を有する実施形態を示す。ｘで表される支持構造（６０）の第一長さは、図６ｂにおけるこの第一長さの断面を参照して示されるように、タワーの前部に９０°のＲＡＭ被覆（６１）を有する。ｙで表される支持構造（６０）の第二長さは、図６ｃにおけるこの第二長さの断面図に示されるように、４５°のＲＡＭ被覆（６２）を有する。こうして、ＲＡＭ被膜（または実際にレーダーに戻る反射を低減するために使用されるいずれか別の技術）の量は、支持構造の特定部分の測定または予測される効果に応じて調整されることが可能である。ここで設計は、低ドップラー帰還が第二長さから発するような予測または測定の結果を反映し、したがってより小さく安価なタワーの領域がＲＡＭ被膜で処理される必要がある。
【００３５】
図７は、図６のものと類似であるが異なるＲＡＭ範囲パターンを有する、本発明の実施形態を示す。図７ａは、タービンユニット（７０）の前面図を示す。第一長さ（ｘ）は１８０°の範囲を被覆するＲＡＭ被膜（７１）を有し、その一方で第二長さ（ｙ）は９０°の角度範囲のＲＡＭ被膜（７２）を有する。図７ｂは、タワーの前向き部分に取り付けられたＲＡＭ被膜（７１）を有する第一長さ（ｘ）の範囲の断面図を示し、その一方で図７ｃは第二長さ（ｙ）の範囲の断面図を示す。
【００３６】
図８は、前面の長さに沿って異なる範囲を有する、ＲＡＭの前部被膜および後部被膜の両方を有する、本発明の実施形態を示す。図８ａは、風力タービン（８０）の前面図を示す。タービン（８０）の前面で、第一長さ（ｘ）は９０°の範囲を被覆するＲＡＭ被膜（８１）を有し、その一方で第二長さ（ｙ）は、タワーの側を被覆する４５°の角度範囲のＲＡＭ（８２）を有する。タービン（８０）の後面には、上部セクションの長さにわたる４５°の被膜を提供する幅の、ＲＡＭ（８３）のストリップがある。図８ｂおよび図８ｃは、扇形ＲＡＭ範囲の長さが示される、それぞれ第一長さ（ｘ）および第二長さ（ｙ）の、タワーの断面図を示す。
【００３７】
図９ａは、タービン（９０）がその前部および後部の両方にその支持構造の上部セクションの実質的に全体を被覆するＲＡＭ被膜（９１）を有する、本発明の実施形態を示す。これは、上部セクションに衝突する放物線の最大減衰を提供するが、しかし最大範囲面積（ひいては費用）および重量も有する。図９ｂは上部セクションの断面図を示しており、ＲＡＭ被膜（９１）が全周を被覆することがわかる。
【００３８】
本発明は、主に風力タービンの一般的なＨＡＷＴバージョンを参照して記載されてきた。本発明の精神および範囲を逸脱することなく、任意の反射防止被膜（ＲＡＭを含む）のパターニングおよび面積範囲の適合、いずれか任意の方向への反射を低減するための成形、およびＶＡＷＴシステム上での本発明の使用を含む、様々な修正および変更が記載された実施形態に適用されてもよいことを、当業者は理解するだろう。
【図１】
0006431063.tif 000002
【図２】
0006431063.tif 000003
【図３】
0006431063.tif 000004
【図４】
0006431063.tif 000005
【図５】
0006431063.tif 000006
【図６】
0006431063.tif 000007
【図７】
0006431063.tif 000008
【図８】
0006431063.tif 000009
【図９】
0006431063.tif 000010